(57)【要約】      （修正有）【課題】簡単な構造で効率のよい長尺野菜の合成樹脂製袋詰め装置を提供する。【解決手段】本体上面開口に送風機８を移動可能に配し、ペタル４の操作により主動歯車２３と噛合して正転逆転する従動歯車の回転軸に、一対のワイヤ巻取り、巻戻し円盤を配し、その円盤上にワイヤの巻取り、巻戻し機構を配し、開口に垂下状態で固定した案内筒２Ｂを嵌合して昇降自在となる昇降環に支持された昇降筒を配して成る昇降筒の昇降機構を配し、その下に、該機構の構成材である昇降筒の昇降運動に同調して回動する係合板回動機構を配し、本体の前面板に設けた開口から奥まった位置に長尺袋供給機構５０を配し、ワイヤ巻取り、巻戻し機構に配した前記一対のワイヤ巻取り、巻戻し円盤にそれぞれ一端を固定したワイヤを、前記案内円盤にそれぞれ懸架し、ワイヤ他端は昇降筒の昇降機構の構成材である昇降筒を支持した昇降環を昇降自在となるように固定した構造とした。【選択図】図３
2006290418.tif 000002
【特許請求の範囲】
【請求項１】
外部構造を、底板を台座とし、上端縁には上面に案内筒を垂下状態で固定して成る開口を形成した蓋を嵌脱自在に配し、前面板には開口を設けて成る縦長の立方形とし、一方の側面板には、上部にレバーを、下端にはペタル止めを配したポールを回動自在に配し、クランク機構によって、本体の上面開口に空気を吹き込む送風機を背面板に配した腕杆によって移動できるように配し、
本体内の構造を下段に、本体外に配したペタルの操作によって、複元自在となる主動歯車と噛合して正転逆転する従動歯車の回転軸に、昇降筒の昇降機構の構成材である支持環を昇降させる機能を果たすワイヤの一端を固定した一対のワイヤ巻取り、巻戻し円盤を配し、その円盤上に位置して案内円盤を配して成るワイヤの巻取り、巻戻し機構を配し、
本体の上端縁に着脱自在に配した蓋の上面に設けた前記開口下に、開口に垂下状態で固定した案内筒を嵌合して昇降自在となる昇降環に支持された昇降筒を配して成る昇降筒の昇降機構を配し、
昇降筒の昇降機構の下に、該機構の構成材である昇降筒の昇降運動に同調して回動する先端を係合片とする係合板を複元自在に配して成る係合板回動機構を配し、
本体の前面板に設けた開口から奥まった位置に、長尺の多数の袋を、最前列の袋の開口が、係合板回動機構を構成する係合板の爪片に対向して配する長尺袋供給機構を配し、
ワイヤ巻取り、巻戻し機構に配した前記一対のワイヤ巻取り、巻戻し円盤にそれぞれ一端を固定したワイヤを、前記案内円盤にそれぞれ懸架し、
他端は、昇降筒の昇降機構の構成材である昇降筒を支持した昇降環を昇降自在となるように固定した構造としたことを特徴とする長尺の野菜、特に長葱を長尺の合成樹脂製袋に袋詰めする作業に使用する装置。
【発明の詳細な説明】
【技術分野】
【０００１】
本発明は、長尺の野菜、特に長葱を長尺の合成樹脂製袋に袋詰めをする作業に使用する装置に関するものである。
【背景技術】
【０００２】
長尺の野菜、特に長葱を長尺を合成樹脂製袋に袋詰めにする作業は、長葱が長尺の野菜でしかも腰の弱い野菜であるところから、これまで長葱を長尺の合成樹脂製袋に詰めるのには、袋詰めに当たり、長葱を痛めないように熟練者の手作業によって行われていた。
従って、大量の長葱を長尺の合成樹脂袋に詰め込む作業には、これまで多数の人手を要すると言われたばかりでなく手間がかかり、工賃も嵩むと言う不都合があった。
【特許文献１】特許第２５６２８０６号公報
【発明の開示】
【発明が解決しようとする課題】
【０００３】
本発明は、上記した不都合を解消するため、特許第２５６２８０６号公報に開示された発明を参考にして簡単な構造で、しかも、熟練者に限らず未経験者でも効率よく長尺の野菜、特に長葱（以下単に長葱と称する）を痛めずに長尺の合成樹脂製袋（以下単に袋と称する）に詰めることが出来る装置を提供しようとする発明である。
【課題を解決するための手段】
【０００４】
本体の外部構造は、底板を台座とし、上端縁には上面に案内筒を垂下状態で固定して成る開口を形成した蓋を嵌脱自在に配し、前面板には開口を設けて成る縦長の立方形として形成する。本体の一方の側面板にには、レバーによって回動自在とする下端にペタル止めを配したポールとポールに配したクランク機構によって、本体の上面開口に空気を吹き込む送風機を背面板に配した腕杆によって移動できるように配する。その本体内には、
下段に、本体外に配したペタルの操作によって、複元自在となる主動歯車と噛合して正転逆転する従動歯車の心棒である回転軸に、昇降筒の環昇降機構の構成材である支持環を昇降させる機能を果たすワイヤの一端を固定した一対のワイヤ巻取り、巻戻し円盤を配し、その円盤上に位置して案内円盤を配して成るワイヤの巻取り、巻戻し機構を配する。
本体の上端縁に着脱自在に配した蓋の上面に設けた前記開口下に、開口に垂下状態で固定した案内筒を嵌合して昇降自在となる昇降環に支持された昇降筒を配して成る昇降筒の昇降機構を配する。
昇降筒の昇降機構の下に、該機構の構成材である昇降筒の昇降運動に同調して回動する先端を係合片とする係合板を複元自在に配して成る係合板回動機構を配する。
本体の前面板に設けた開口から奥まった位置に、長尺の多数の袋を、最前列の袋の開口が、蓋開閉機構を構成する蓋の爪片に対向して配する長尺袋供給機構を配する。
ワイヤ巻取り、巻戻し機構に配した前記一対のワイヤ巻取り、巻戻しにそれぞれ一端を固定したワイヤは、前記案内円盤をそれぞれ懸架し、他端は、昇降筒の昇降機構の構成材である昇降筒を支持した昇降環に固定する。
上記の構造とすることによって長尺の野菜、特に長葱を長尺の合成樹脂製袋に袋詰めする作業に使用する装置を構成する。
【発明の効果】
【０００５】
本発明に係る装置は、上記のように構成されているので、長葱の袋詰め作業は、これまでのように多数の人手を要せず、また、未熟者であっても長葱を傷つけずに簡単に行うことができ、従来、長葱の袋詰めは多数の人手を要し、その結果、人件費が嵩むと言う不都合の生じたのを解消できる。それだけでなく、未経験者が長葱の袋詰め作業を行うときは、長葱を折ったりして長葱の商品価値を喪失すると言う不都合を生じることがあったが、その不都合の生じるのも解消できる。
【発明を実施するための最良の形態】
【０００６】
本発明の好ましい実施の形態は、図面に示すとおり、前面に長葱を詰め込んだ袋の取出口である開口を設けた直方体型本体の上面に長葱を束ねた状態で挿入する開口を設け、開口上には送風機をのぞませられるようにした。本体の下部に複元機能を有するワイヤ巻取り、巻戻し機構を配し、本体の上部には複元機能を有する昇降筒の昇降機構を配し、昇降筒の昇降機構下には複元機能を有する係合板回動機構を配して成る構成とした。
【０００７】
本発明に係る装置の構成を図面に従って説明する。本発明に係る装置の外形は、図１に図示する通りである。
【０００８】
本体１は、底板を台座１Ａとした有底の縦長直方体形状に形成され、その上部には、上面の中央部に複数本の長葱を束状にして挿入することができる開口２Ａが案内筒２Ｂを垂下固定した状態で形成された蓋２を嵌脱自在に配置されている。
【０００９】
本体１の一方の側面板３の下方には、足踏部４Ａとポールの下部に形成したストッパー片を当接するストッパー当接部４Ｂとをへの字状に折り曲げた折り曲げ部４Ｃとから成り、該折り曲げ部４Ｃを支点位置として、梃子機能を果たすように構成したペタル４が回動自在となるように主動歯車の回転軸に固定して配置されている。
【００１０】
前記ペタル４を配した本体１の一方の側面板３には、本体１の縦方向にポール挿通管５が取り付けられ、そのポール挿通管５に、上部にレバー６を取付け、下部を直角に折り曲げたストッパー片７Ａを形成したポール７を、該レバー６の操作によって該ポール７を回動し、該ストッパー片７Ａが前記ペタル４のストッパー当接部４Ｂと着脱自在となるように回動自在に挿通して配置されている。
【００１１】
本体１の上部に嵌合した蓋２の上面の中央部に形成した開口２Ａ上部には、開口２Ａに向けて空気を吹き込む吹込口をもつ送風機８が、本体１の後面板に取り付けられた回動軸受け９に、回動自在として挿通された回動腕１０に支持されて配されている。その回動腕１０は、ポール７に取り付けられたレバー６を操作することによってポール７を回動し、ポール７に取り付けられたクランク機構１１を稼働し、回動腕１０に空気の吹込口をもつ送風機８を前記開口２Ａ上に向け、或いは前記開口２Ａから遠ざけることができるように作動するように配置してある。
【００１２】
本体１の前面板１２には、長葱を袋詰めにした状態の袋を取り出す取出口である開口１３が設けられている。
【００１３】
本体１内の構成は、図２、図３に示すとおりである。
即ち、本体１内には、図２に示すとおり下部にワイヤ巻取り、巻戻し機構２０を配置する。上部に昇降筒の昇降機構３０を配置する。その下に係合板回動機構４０を配置する。また、長尺袋供給機構５０は図３に示すとおり昇降筒の昇降機構３０並びに係合板回動機構４０の対向位置に配置する。
【００１４】
ワイヤ巻取り、巻戻し機構２０は、図２に示すとおり本体１の下部の外側に断面をへ字状に折り曲げて、一方を足踏部４Ａと他方をストッパの係止部４Ｂとしたペタル４を配し、本体１の下部の内側には、該ペタル４の足踏部４Ａを足踏みすることによって回転する回転軸２１に中心を挿通して固定し、複元スプリング２２（図３参照）を配した主動歯車２３と、主動歯車２３と噛合して回転する従動歯車２４の心棒としての回転軸２５にワイヤ巻取り、巻戻し円盤２６、２６を昇降筒の昇降機構３０の構成材である支持板３１の横板３１Ｂに穿設されたワイヤ挿通孔３１Ｄの下に位置して所定の間隔をあけて対向して挿通固定し、前記主動歯車２３と従動歯車２４のそれぞれの回転軸２１、２５を回転自在に軸受け（図示しない）に軸支し、前記のワイヤ巻取り、巻戻し円盤２６、２６の上部に案内円盤２７、２７を回転自在に軸受け（図示しない）に軸支して配してワイヤ巻取り、巻戻し機構２０とする。
【００１５】
昇降筒の昇降機構３０は、縦板３１Ａと横板３１Ｂとから成り、縦板３１Ａには縦長溝３１Ｃを穿設し、横板３１Ｂにはワイヤ貫通孔３１Ｄ並びにスプリング挿通棒貫通孔３１Ｅを穿設した直角に折り曲げた支持板３１を、本体１の左右両側板から本体１の上部に嵌合した蓋２の上面に形成した開口２Ａ下に垂下状態で固定された案内筒２Ｂを挟んで対象に配置する。前記支持板３１の横板３１Ｂに穿設されたスプリング挿通棒貫通孔３１Ｅには、上端を昇降筒複元スプリング挿通部、下端を係合板回動機構４０の構成材であるアームのアーム複元スプリング固定部とし、中間に座金部３２Ａを配したスプリング挿通棒３２を該スプリング挿通棒貫通孔３１Ｅから抜け落ちないように貫通し、該スプリング挿通棒３２には、上端と座金３２Ｂの間に昇降筒複元スプリング３３を挿通する。
【００１６】
対象に配した支持板３１の縦板３１Ａの間には、本体１の上部に嵌合した蓋２の上面に形成した開口２Ａ下に垂下状態で固定された案内筒２Ｂを嵌挿して該案内筒２Ｂの外周側に沿って昇降する昇降筒３４を支持部材３５Ａを以て支持して成り、且つ外側に向かった突起３５Ｂを対象位置に配した支持環３５を、該支持環３５に配した突起３５Ｂを、該支持板３１の縦板３１Ａに穿設した縦長溝３１Ｃに昇降自在に貫挿する。
【００１７】
前記した支持環３５に配した突起３５Ｂと前記した昇降筒複元スプリング３３を挿通したスプリング挿通棒３２は、一端を突起固定部３７Ａとし、他端をスプリング挿通棒上端固定部３７Ｂとし、中間部にワイヤ挿通孔部（図示しない）を穿設して成る腕板３７を以て、前記腕板３７の突起固定部３７Ａを前記支持環３５の突起３５Ｂに、スプリング挿通棒上端固定部３７Ｂを前記スプリング３３を挿通して成るスプリング挿通棒３２の上端にそれぞれ固定する。これを以て昇降筒の昇降機構３０とする。
【００１８】
係合板回動機構４０は、前記昇降筒の昇降機構３０の下に、本体１の前面板側１２から、前記昇降筒の昇降機構３０の下に向かって平行に軸受け４１、４１を突設し、該平行に突設した軸受け４１、４１間には、先端を袋の開口縁に係合する係合片４２とし、基部を回動軸４３とした係合板４４を前記回動軸を以て回動自在に軸支すると共に、該軸受け４１、４１から外側に延長する回動軸外にレバー４５を配して該レバー４５の先端と、前記昇降筒の昇降機構３０の構成材であるスプリング挿通棒３２の先端との間に係合板複元スプリング４６を配する。
【００１９】
長尺袋供給機構５０に配置された長葱を収納する長尺の袋５３は、図３に示すように、本体１の前面板１２に設けた開口１３から奥まった位置に、多数の長尺の合成樹脂袋５１を束ね、これが特許第２５６２８０６号公報の図示実施に開示されたと同じように、最前面に位置する袋の開口縁が係合板回動機構４０の構成材である係合板４４の先端に形成された係合片４２に当接するように順次押出す押出具５２を配したハンガー５１に吊り下げられている。
【００２０】
前記ワイヤ巻取り、巻戻し機構２０に配したワイヤ巻取り、巻戻し円盤２６、２６には、ワイヤ２８が一端を固定するとともに、前記案内円盤２７、２７を介して、前記昇降筒の昇降機構３０の構成材である支持板３１の横板３１Ｂに穿設されたワイヤ貫通孔３１Ｃと腕板３７に穿設されたワイヤ貫通孔（図示しない）を挿通して、他端を前記支持環３５の突起先端３５Ｂに固定されている。
【００２１】
次に前記の如く構成する本発明に係る装置の機能を説明する。
ペタル４の足踏部４Ａを足踏みすることによって、主動歯車２３が矢印Ａに示す方向に回転し、主動歯車２３と噛合する従動歯車２４が矢印Ｂに示す方向に回転し、従動歯車２４の心棒である回転軸２５に挿通固定したワイヤ巻取り、巻戻し円盤２６、２６が従動歯車２４と同じ方向に回転する。この動きによって、該円盤２６、２６に一端を固定したワイヤ２８は、ワイヤ巻取り、巻戻し円盤２６、２６に巻き付けられる。
従って、ワイヤ巻取り、巻戻し円盤２６、２６に巻き付けられたワイヤ２８は、前記案内円盤２７、２７を介して前記昇降筒の昇降機構３０を構成する支持板３１の縦溝３１Ｃに突起３５Ｂを貫挿して成る支持環３５を、該機構の構成材である複元スプリング３３の弾性に抗して矢印Ｃに示すように降下する動きをさせる。即ち、開口２Ａ下に配された案内筒２Ｂを嵌合する状態で配された昇降筒３４を案内筒２Ｂの外周に沿って摺動降下する。
【００２２】
降下した昇降筒３４の先端は、係合板回動機構４０を構成する係合板４４に突き当たる。その降下によって該係合板４４を基部の回動軸を以て矢印Ｄに示す方向に回動する。
係合板４４の回動は、係合板４４外に配されたレバー４５の先端と、支持板３１を貫通したバネ挿通棒３２の先端との間に張設された係合板複元スプリング４６の弾性に抗して回動することになる。
【００２３】
この係合板４４が回動する際、係合板４４の先端の係合片４２は、図３に示すように係合板４４に対向して設けられた長尺袋供給機構５０の構成材である押出具を配したハンガー５１に吊り下げられた袋５３の開口縁に当接しているので、この係合片４２は、特許第２５６２８０６号公報の図示実施例に開示されたように係合板４４の回動時に前記袋５３の開口縁を係合して、袋の開口縁を開放することになる。
【００２４】
この状態下で、ハンドル６を操作してポール７を回動し、ポール７の下部に形成したストッパ片７Ａをペタル４のストッパ係止部４Ｂ下に潜らせて、ペタル４の足踏を継続した状態とする。更に、送風機８を本体１の開口２Ａ上に位置するよう移動して、送風機を操作して空気を袋の開放された開口縁に向かって吹き込む。
この操作によって、袋の中に空気が吹き込まれ、袋５３を全体的に膨らませる。
【００２５】
その後、ハンドル６を操作して送風機を前記開口２Ａ上から遠のける。この操作終了後、即ち、袋が膨らんだ状態で、複数本に束ねた葱を本体の開口２Ａから、案内筒、昇降筒を通して前記袋の中に収容する。
【００２６】
葱を収容した袋は、本体１の前面板１２に形成された開口１３から、葱を収容した状態で吊下げ具であるハンガー５１から引きちぎって取り出す。この作業により葱を袋に収容する作業は終了する。
【００２７】
この作業終了後、レバーを操作して、ポールの下部に形成したストッパ片をペタルのストッパ係止部下からの係止状態を開放する。この操作により、昇降筒は、スプリング挿通棒に挿通した昇降筒複元スプリングの複元力が働き元の位置に戻る。昇降筒の複元により係合板に対する当接が解除される。従って、レバー先端とスプリング挿通棒の下端の間に配した係合板複元スプリングの複元力が働き、レバーも係合板も元の位置に戻る。
【００２８】
長尺袋５３の補充は、本体の上部に嵌合した蓋を取り除いて長尺の袋の補充ができる。
【図面の簡単な説明】
【００２９】
【図１】本発明に係る装置の外観図
【図２】本発明に係る装置内に収容される機構の配置図
【図３】本発明に係る装置の外観図のＡ−Ａ線断面図
【図４】本発明に係る装置に配された係合板を以て長尺袋の開口縁を開口する状態の説明図
【符号の説明】
【００３０】
１      本体
１１    クランク機構
１２    前板板
１３    取出口
１Ａ    台座
２      蓋
２０    巻戻し機構
２１    回転軸
２２    複元スプリング
２３    主動歯車
２４    従動歯車
２５    回転軸
２６    ワイヤ巻取り、巻戻し円盤
２７    案内円盤
２８    ワイヤ
２Ａ    開口
２Ｂ    案内筒
３      側板面
３０    昇降筒の昇降機構
３１    支持板
３１Ａ  縦板
３１Ｂ  横板
３１Ｃ  縦長溝
３１Ｄ  ワイヤ挿通孔
３１Ｅ  スプリング挿通棒貫通孔
３２    スプリング挿通棒
３２Ｂ  座金
３３    スプリング
３４    昇降筒
３５    支持環
３５Ａ  支持部材
３５Ｂ  突起
３７    腕板
３７Ａ  突起固定部
３７Ｂ  スプリング挿通棒上端固定部
４      ペタル
４０    係合板回動機構
４１    軸受け
４２    係合片
４３    回転軸
４４    係合板
４５    レバー
４６    係合板複元スプリング
５      ポール挿通管
５０    長尺袋供給機構
５１    ハンガー
５２    押出具
５３    袋
５Ａ    足踏部
５Ｂ    ストッパー当接部
５Ｃ    折り曲げ部
６      レバー
７      ポール
７Ａ    ストッパー片
８      送風機
８Ａ    ストッパー片
９      回動軸受け
１０    回動腕
【図１】
2006290418.tif 000003
【図２】
2006290418.tif 000004
【図３】
2006290418.tif 000005
【図４】
2006290418.tif 000006